【手続補正書】
【提出日】平成24年10月29日(2012.10.29)
【手続補正１】
【補正対象書類名】明細書
【補正対象項目名】００３７
【補正方法】変更
【補正の内容】
【００３７】
一例では図８Ｂに示されるように入力電圧信号８３０から導き出すことができる入力電圧検知信号８５９を導入するという改良点は、図１におけるコントローラ１０２および図２におけるコントローラ２０２を参照して上述したものと類似している。なお、他の例では、入力電圧を検知するために電圧センサ１６０と入力電圧レール８８９との間に接続８８８を有する必要はない。このような場合、入力電圧の値は、パワースイッチ８１８のデューティサイクルを測定することによって、またはパワースイッチ８１８のオン期間中のパワースイッチ８１８の電流増加の勾配を測定することによって、導き出すことができる。このような技術を用いて、接続８８８を必要とすることなく、入力電圧を検知し、入力電圧のピーク値、二乗平均平方根値または平均値を導き出すことができる。
【手続補正２】
【補正対象書類名】特許請求の範囲
【補正対象項目名】全文
【補正方法】変更
【補正の内容】
【特許請求の範囲】
【請求項１】
力率改善（ＰＦＣ）コンバータで用いられるコントローラであって、
パワースイッチに結合されたエネルギ伝達素子に結合された前記ＰＦＣコンバータの入力に結合されたａｃ電圧源の大きさに応答する電圧検知信号を受取るように結合された積分器を備え、前記積分器は、前記パワースイッチがオンであるときに前記パワースイッチに流入する電流に応答する電流検知信号を受取るようにさらに結合され、前記積分器は、前記電圧検知信号および前記電流検知信号に応答して積分器出力信号を発生させ、前記コントローラはさらに、
前記パワースイッチをオンおよびオフに駆動して、前記ＰＦＣコンバータの出力に結合された負荷への、前記エネルギ伝達素子を通るエネルギの伝達を制御するように結合されたオン／オフ論理を備え、前記オン／オフ論理は、前記積分器出力信号がしきい値に達すると前記パワースイッチのオン期間を終了させるように結合され、前記積分器の利得は、前記しきい値が、前記負荷の大きさが一定であるときに前記ａｃ電圧源の大きさから独立して実質的に一定であるように、前記電圧検知信号に応答して調整される、コントローラ。
【請求項２】
力率改善（ＰＦＣ）コンバータで用いられるコントローラであって、
パワースイッチに結合されたエネルギ伝達素子に結合された前記ＰＦＣコンバータの入力に結合されたａｃ電圧源の大きさに応答する電圧検知信号を受取るように結合された積分器を備え、前記積分器は、前記パワースイッチがオンであるときに前記パワースイッチに流入する電流に応答する電流検知信号を受取るようにさらに結合され、前記積分器は、前記電圧検知信号および前記電流検知信号に応答して積分器出力信号を発生させ、前記コントローラはさらに、
基準電圧、および前記ＰＦＣコンバータのｄｃ出力電圧の大きさに応答するフィードバック信号を受取るように結合されたエラー増幅器を備え、前記エラー増幅器は、エラー信号を発生させ、前記コントローラはさらに、
前記パワースイッチをオンおよびオフに駆動して、前記ＰＦＣコンバータの出力に結合された負荷への、前記エネルギ伝達素子を通るエネルギの伝達を制御するように結合されたオン／オフ論理を備え、前記オン／オフ論理は、前記積分器出力信号の大きさが前記エラー信号の大きさを超えると前記パワースイッチのオン期間を終了させるように結合され、前記積分器の利得は、パワースイッチオン期間が終了したときの前記積分器出力信号の大きさが、前記負荷の大きさが一定であるときに前記ａｃ電圧源の大きさから独立して実質的に一定であるように、前記電圧検知信号に応答する、コントローラ。
【請求項３】
力率改善（ＰＦＣ）コンバータで用いられるコントローラであって、
パワースイッチに結合されたエネルギ伝達素子に結合された前記ＰＦＣコンバータの入力に結合されたａｃ電圧源の大きさに応答する電圧検知信号を受取るように第１の入力を結合させた積分器と、
前記ＰＦＣコンバータのｄｃ出力電圧の大きさに応答するフィードバック信号を受取るように第１の入力を結合させたエラー増幅器とを備え、前記エラー増幅器は、基準電圧を受取るように第２の入力を結合させ、前記積分器は、第２の入力を前記エラー増幅器の出力に結合させ、前記コントローラはさらに、
積分器出力信号を受取るように前記積分器の出力に第１の入力を結合させた比較器を備え、前記比較器は、前記エラー増幅器の前記出力に応答する第２の信号および前記パワースイッチがオンであるときに前記パワースイッチに流入する電流を表わす電流検知信号を受取るように第２の入力を結合させ、前記コントローラはさらに、
前記パワースイッチをオンおよびオフに駆動して、前記ＰＦＣコンバータの出力に結合された負荷への、前記エネルギ伝達素子を通るエネルギの伝達を制御するように結合されたオン／オフ論理を備え、前記オン／オフ論理は、前記第２の信号の大きさおよび前記積分器出力信号の大きさが実質的に等しい値を有するときに前記パワースイッチのオン期間を終了させるように結合され、前記積分器の利得は、前記パワースイッチの前記オン期間中の前記積分器出力信号の変化の割合が、前記ａｃ電圧源の大きさから独立して実質的に一定であるように、前記電圧検知信号に応答する、コントローラ。
【請求項４】
前記電圧検知信号は、ａｃサイクル中の前記ａｃ電圧源のピーク値に応答する、請求項１、２または３に記載のコントローラ。
【請求項５】
前記電圧検知信号は、前記ａｃ電圧源の二乗平均平方根値に応答する、請求項１、２または３に記載のコントローラ。
【請求項６】
前記電圧検知信号は、前記ａｃ電圧源の平均値に応答する、請求項１、２または３に記載のコントローラ。
【請求項７】
前記コントローラおよびパワースイッチは、混成回路として単一のパッケージに集積される、請求項１または２に記載のコントローラ。
【請求項８】
前記コントローラおよびパワースイッチは、単一のダイ上にモノリシックに集積される、請求項１、２または３に記載のコントローラ。
【請求項９】
前記電流検知信号は、前記パワースイッチの検知ＦＥＴ素子によって発生した信号から導き出される、請求項１、２または３に記載のコントローラ。
【請求項１０】
前記電流検知信号は、前記パワースイッチに結合された検知抵抗器の両端で発生した電圧信号から導き出される、請求項１、２または３に記載のコントローラ。
【請求項１１】
前記電流検知信号は、前記パワースイッチがオン状態であるときに前記パワースイッチの両端で発生した電圧信号から導き出される、請求項１、２または３に記載のコントローラ。
【請求項１２】
前記電流検知信号は、前記パワースイッチがオン状態であるときに前記パワースイッチの検知ＦＥＴ部分によって発生する検知ＦＥＴ信号から導き出される、請求項１に記載のコントローラ。
【請求項１３】
パワーコンバータは昇圧コンバータであり、前記エネルギ伝達素子はインダクタである、請求項１、２または３に記載のコントローラ。
【請求項１４】
パワーコンバータはフライバックコンバータであり、前記エネルギ伝達素子は変圧器である、請求項１、２または３に記載のコントローラ。
【請求項１５】
前記パワースイッチに結合された前記エネルギ伝達素子に結合された前記ＰＦＣコンバータの前記入力に結合された前記ａｃ電圧源の大きさに応答する入力電圧信号を受取るように結合された電圧センサをさらに備え、前記電圧センサは、前記入力電圧信号に応答する前記電圧検知信号を発生させる、請求項１または２に記載のコントローラ。
【請求項１６】
基準電圧および前記ＰＦＣコンバータのｄｃ出力電圧の大きさに応答するフィードバック信号を受取るように結合されたエラー増幅器をさらに備え、前記しきい値は、前記エラー増幅器の出力値である、請求項１に記載のコントローラ。
【請求項１７】
前記エラー増幅器からの前記しきい値および前記積分器出力信号を受取る比較器をさらに備え、前記比較器の出力は、前記積分器出力信号が前記しきい値に達すると前記オン／オフ論理に前記パワースイッチの前記オン期間を終了させるように結合される、請求項１６に記載のコントローラ。
【請求項１８】
前記エラー信号および前記積分器出力信号を受取る比較器をさらに備え、前記比較器の出力は、前記積分器出力信号の大きさが前記エラー信号の大きさを超えると、前記オン／オフ論理に前記パワースイッチの前記オン期間を終了させるように結合される、請求項２に記載のコントローラ。
【請求項１９】
パワーコンバータは昇圧コンバータであり、前記エネルギ伝達素子はインダクタである、請求項３に記載のコントローラ。
【請求項２０】
力率改善（ＰＦＣ）回路を制御する方法であって、
ａｃ電圧源を検知し、それに応答して電圧検知信号を発生させるステップと、
フィードバック信号に応答してエラー信号を発生させるステップと、
パワースイッチをオンにするステップと、
積分器出力信号を発生させるために、前記電圧検知信号に応答する利得を有する積分器で、前記パワースイッチにおけるスイッチ電流を積分するステップと、
前記積分器出力信号が前記エラー信号に達する値が、負荷の大きさが一定であるときに前記ａｃ電圧源の大きさから独立して実質的に一定であるように、前記電圧検知信号に応答して前記利得を調整するステップと、
前記積分器出力信号が前記エラー信号に達すると前記パワースイッチのオン期間を終了させるステップとを備える、方法。
【請求項２１】
力率改善（ＰＦＣ）回路を制御する方法であって、
ａｃ電圧源を検知し、それに応答して電圧検知信号を発生させるステップと、
フィードバック信号に応答してエラー信号を発生させるステップと、
パワースイッチをオンにするステップと、
積分器出力信号を発生させるために、前記電圧検知信号に応答する利得を有する積分器で前記エラー信号を積分するステップと、
前記パワースイッチの前記オン期間中の前記積分器出力信号の変化の割合が、前記ａｃ電圧源の大きさから独立して実質的に一定であるように、前記電圧検知信号に応答して前記利得を調整するステップと、
第２のエラー信号を発生させるために、利得率を乗じたスイッチ電流検知信号を前記エラー信号から減算するステップと、
前記積分器出力信号の大きさが前記第２のエラー信号よりも大きい場合に前記パワースイッチのオン期間を終了させるステップとを備える、方法。